(57)【要約】      （修正有）【課題】熟練した技量が無くとも、容易に水中で生きているように動作させることが可能な疑似餌を提供する。【解決手段】前半身部１と、後半身部２とを、左右水平状軸心Ｌ３廻りに上下揺動可能に枢結し、釣糸連結部２１を後半身部２に設け、かつ、釣糸連結部２１に連繋された釣糸８が挿通される糸通し部１１を前半身部１に設けた。【選択図】図４
2020018202.tif 000002
【特許請求の範囲】
【請求項１】
前半身部（１）と、後半身部（２）とを、左右水平状軸心（Ｌ３）廻りに上下揺動可能に枢結し、
釣糸連結部（21）を上記後半身部（２）に設け、かつ、該釣糸連結部（21）に連繋された釣糸（８）が挿通される糸通し部（11）を上記前半身部（１）に設けたことを特徴とする疑似餌。
【請求項２】
上記前半身部（１）と上記後半身部（２）が相互に上下揺動する揺動可能角度（θ）を、１０度以上６０度以下に設定した請求項１記載の疑似餌。
【請求項３】
上記前半身部（１）と上記後半身部（２）とを枢結する枢結部（３）において、上記前半身部（１）と上記後半身部（２）とが相互に左右ふらつき自在に連結している請求項１又は２記載の疑似餌。
【発明の詳細な説明】
【技術分野】
【０００１】
本発明は、疑似餌に関する。
【背景技術】
【０００２】
従来、海や湖や川等で釣りをする際に、生餌の換わりとして、ルアーや餌木等の疑似餌（例えば、特許文献１参照）を用いていた。
【先行技術文献】
【特許文献】
【０００３】
【特許文献１】登録実用新案第３０７４４４８号公報
【発明の概要】
【発明が解決しようとする課題】
【０００４】
しかし、従来の疑似餌は、海や湖や川等の水中で、生きているように動作させることが非常に難しく、その疑似餌の動作によっては、イカやタイ等の釣りの獲物が興味を示さず、釣果が得られないといった問題があった。
【０００５】
そこで、本発明は、熟練した技量が無くとも、容易に水中で生きているように動作させることが可能な疑似餌の提供を目的とする。
【課題を解決するための手段】
【０００６】
本発明の疑似餌は、前半身部と、後半身部とを、左右水平状軸心廻りに上下揺動可能に枢結し、釣糸連結部を上記後半身部に設け、かつ、該釣糸連結部に連繋された釣糸が挿通される糸通し部を上記前半身部に設けたものである。
また、上記前半身部と上記後半身部が相互に上下揺動する揺動可能角度を、１０度以上６０度以下に設定したものである。
また、上記前半身部と上記後半身部とを枢結する枢結部において、上記前半身部と上記後半身部とが相互に左右ふらつき自在に連結しているものである。
【発明の効果】
【０００７】
本発明によれば、水中で生きているように動作させることができ、イカやタイ等の釣りの獲物の興味（捕食本能）を刺激して、食付きを向上できる。釣糸のテンションを変化させる（シャクル）だけで、生きているように動作し、熟練した技量が無くとも、優れた釣果を得ることができる。
【図面の簡単な説明】
【０００８】
【図１】本発明の実施の一形態を示す全体図であって、（Ａ）は側面図であり、（Ｂ）は正面図である。
【図２】平面図である。
【図３】要部断面分解平面図である。
【図４】作用を説明するための要部断面側面図であって（Ａ）は基準状態の要部断面側面図であり、（Ｂ）は屈曲状態の要部断面側面図である。
【図５】作用を説明するための要部断面平面図であって、（Ａ）は基準状態の要部断面平面図であり、（Ｂ）は後半身部が右側へふらついた状態の要部断面平面図であり、（Ｃ）は後半身部が左側へふらついた状態の要部断面平面図である。
【図６】作用説明図である。
【発明を実施するための形態】
【０００９】
以下、図示の実施の形態に基づき本発明を詳説する。
本発明に係る疑似餌は、図１と図２に示すように、（頭部側の）前半身部１と、（尾部側の）後半身部２とを、左右水平状軸心Ｌ３廻りに上下揺動可能に枢結したものである。
つまり、前後中間部に、前半身部１と後半身部２とを枢結（連結）する枢結部３を有している。
【００１０】
後半身部２は、後端部に傘型の釣針６が直列状に２つ設けられ、上面に上方突出状（背びれ型）の釣糸連結部21が設けられている。
言い換えると、後半身部２は、釣糸連結部21を有する樹脂製の後本体20と、後本体20の後端部に固着（取着）する金属製の複数の釣針６，６と、で構成されている。
【００１１】
前半身部１は、前端部に、釣糸連結部21に連繋された（二点鎖線で図示する）釣糸８が挿通されるリング状の糸通し部11が設けられ、下面に、錘７が連結される下方突出状（腹びれ型）の錘連結部17が設けられている。
言い換えると、前半身部１は、錘連結部17を有する樹脂製の前本体10と、前本体10の前端部に固着されると共に、糸通し部11を有する金属製の糸挿通部材５と、で構成されている。
【００１２】
図３に示すように、前本体10は、左右方向に分割される半割構造であって、左右一対の半身部材10Ａ，10Ｂから成る。
左右一対の半身部材10Ａ，10Ｂは、夫々、後部に後方突出状に設けられた左右外方側突片部18と、左右外方側突片部18に左右外方へ円形状に凹設された枢結用凹部31，31と、を有している。
また、左右一対の半身部材10Ａ，10Ｂは、夫々、前部に糸挿通部材５の基端部を保持するための溝状の凹部を有し、さらに、錘連結部17を形成するための下方突片部が下面から下方突出状に設けられている。
【００１３】
後本体20は、ブロック構造（中実状の塊）であって、左右一対の半身部材10Ａ，10Ｂの左右外方側突片部18，18の間に配設される前部28と、前部28から左右外方へ突出する左右一対の軸状（短円柱状）の枢結用凸部32，32と、釣糸連結部21と、を有し、さらに、後部に釣針６の基端部が固着する孔状の針連結部29が設けられている。
【００１４】
そして、左右一対の半身部材10Ａ，10Ｂの凹部31，31を、左右方向から外嵌状に、後本体20の凸部32，32に嵌めて（凸部32を凹部31に差込んで）、左右一対の半身部材10Ａ，10Ｂ同士を接着剤等で一体状に固着することで、前本体10と後本体20とを枢結している。
また、左右一対の半身部材10Ａ，10Ｂを一体状に固着する際に、各前部にて、糸挿通部材５の基端部を抜け止めしつつ挟持状に保持する。
また、後本体20の針連結部29に、釣針６を接着剤等で固着する。
このような組立構成は、組立作業を容易かつ迅速にできる（製造効率が良い）。
【００１５】
図４に示すように、前半身部１と後半身部２は、枢結部３によって左右水平状軸心Ｌ３廻りに上下揺動可能（自在）である。なお、前半身部１と後半身部２とは、相互に上下動可能であるが、図４の説明に於ては、説明を容易にするために、前半身部１に対する（前半身部１を固定とみて）後半身部２の上下揺動を説明する。
【００１６】
図４（Ａ）に示すように、釣糸連結部21に連繋されかつ糸通し部11を挿通している釣糸８へテンション（引っ張り力）Ｔが付与されると、前半身部１の後上端面に形成した基準ストッパ部（面）15に、後半身部２の前上端面に形成した基準当り部（面）25が当接して、全体が前後方向に沿った側面視一文字状姿勢の基準状態（基準姿勢）となる。
【００１７】
図４（Ｂ）に示すように、釣糸８を緩める（釣糸８へのテンションＴを解除する）と、後半身部２が自重にて後方下傾状に垂れ下がって、前半身部１の後下端面に形成した揺動ストッパ部（面）16に、後半身部２の前下端面に形成した揺動当り部（面）26が当接して、それ以上の下方への揺動が阻止され、全体が、側面視くの字状姿勢となった屈曲状態（屈曲姿勢）となる。
【００１８】
なお、実際の水中での動作は、基準状態から釣糸８を緩めると、前半身部１の自重及び錘７によって、前半身部１は前方下傾状に揺動する。つまり、側面視で、前半身部１の前部と後半身部２の後部とが相互に接近するように、前半身部１と後半身部２の両方が下方へ揺動する。
そして、釣糸８にテンションＴが付与されると、釣糸連結部21と糸通し部11が、釣糸８によって引き上げられ、後半身部２と前半身部１が釣糸８に沿った側面視一文字状姿勢の基準状態に戻る。
【００１９】
前半身部１と後半身部２が相互に上下揺動する揺動可能角度θは、１０度以上６０度以下、好ましくは、３５度以上５５度以下に設定している。下限値未満に設定すると、上下揺動が小さくなり過ぎて、イカやタイ等の釣りの獲物が興味を示さず、食付きが悪くなる。上限値を越えると、揺動が大きくなり過ぎて、水中での動作が不自然になり、釣りの獲物が警戒して、食付きが悪くなる。
なお、図４に於て、揺動可能角度θは、前半身部１の上下基準中心線Ｓ１に対する後半身部２の上下基準中心線Ｓ２の角度である。
【００２０】
さらに、図１（Ａ）と図２と図４（Ａ）に示すように、基準状態において、前半身部１の基準ストッパ部15と、後半身部２の基準当り部25とが当接しているが、それ以外の部位においては、図１（Ａ）と図２と図５（Ａ）に示すように、前半身部１の内面と、後半身部２の外面と、の間に、微小な間隙部30を形成している。言い換えると、枢結部３（前半身部１と後半身部２の左右方向のラップ部）において、左右外方側突片部18，18と後半身部２の前部28との間や、枢結用凹部31と枢結用凸部32との間等に、微小な間隙部30を形成している。
【００２１】
つまり、図５に示すように、枢結部３において、前半身部１の後部と、後半身部２の前部とを、間隙部30を介して（ガタつきをもって）連結し、釣糸８を緩めた状態で、前半身部１と後半身部２とが相互に左右ふらつき自在（左右揺動可能）としている。
このように構成することで、複雑な構造（機構）や部品を用いずに左右へのふらつきを実現できる。また、組立も容易である。
なお、前半身部１と後半身部２とは、相互に左右ふらつき自在であるが、説明を容易にするために、図５において、前半身部１に対する（前半身部１を固定とみて）後半身部２の左右揺動を説明する。
【００２２】
図５（Ａ）に示す基準状態から、釣糸８が緩められると、後半身部２は、間隙部30によって、前後左右に移動自在となり（ガタつき）、前半身部１に対して後半身部２は左右ふらつき自在（左右揺動自在）となる。
つまり、水中での抵抗や水流等により、図５（Ｂ）に示すように、後半身部２が右側へふらついたり、図５（Ｃ）に示すように、後半身部２が左側へふらつく。
前半身部１の内面と後半身部２の外面とが複数個所で相互に当接することで、揺動が規制され、全体が、平面視への字状姿勢となるふらつき状態（姿勢）となる。
【００２３】
なお、実際の水中での動作は、基準状態から釣糸８を緩めると、前半身部１も左右へふらつく。つまり、平面視で、前半身部１の前部と後半身部２の後部とが相互に接近するように、前半身部１と後半身部２の両方が左右へふらつく（左右揺動する）。
そして、釣糸８にテンションＴが付与されると、前半身部１の基準ストッパ部15に後半身部２の基準当り部25が当接して、ふらつき（ガタツキ）が阻止され、前半身部１と後半身部２が、平面視で、釣糸８に沿った一文字状姿勢の基準状態（姿勢）に戻る。
【００２４】
前半身部１と後半身部２が相互に左右揺動する左右揺動可能角度α（前半身部１に対する後半身部２の右揺動可能角度α／２と、前半身部１に対する後半身部２の左揺動可能角度α／２と、の和）は、１度以上１０度以下、好ましくは、４度以上度８度以下に設定している。下限値未満に設定すると、左右のふらつき（揺動）が小さくなり過ぎて、イカやタイ等の釣りの獲物が興味を示さず、食付きが悪くなる。上限値を越えると、ふらつきが大きくなり過ぎて、水中での動作が不自然になり、釣りの獲物が警戒して、食付きが悪くなる。
なお、図５に於て、右揺動可能角度α／２と、左揺動可能角度α／２とは、前半身部１の左右基準中心線Ｓａに対する後半身部２の左右基準中心線Ｓｂの角度である。
【００２５】
従って、図６に○印１番で示すように、海や湖や川等の水中に投入して釣糸８にテンションＴを付与した状態では側面視一文字状の姿勢（伸身姿勢）となり、○印２番から○印４番に示すように釣糸８を緩める（テンションＴを付与しない）と、前半身部１や後半身部２が錘７や自重や水流等によって屈曲姿勢になり、再び、釣糸８にテンションＴが付与されると、○印５番から○印７番に示すように再び伸身姿勢となる。そして、再び釣糸８を緩めれば、○印８番と○印９番に示すように再び屈曲姿勢になろうとする。
【００２６】
そして、図６のような屈伸動作に合わせて、前半身部１と後半身部２が相互に左右へふらついて（左右方向に揺動し）、本物の海老の頭が動いているような動作や、尻尾が動いているような動作が行われる（表現される）。
【００２７】
つまり、釣糸８のテンションＴを変化させれば、水中を元気に泳いでいるような、生きた本物の海老のような動作が行われ、イカやタイ等の釣りの獲物の捕食本能（捕食行動）を刺激して、食付きがよくなり、釣り人は、従来よりも良好な釣果を得ることができる。
【００２８】
なお、本発明は、設計変更可能であって、疑似餌が擬態する（真似する）生物としては、図例のような海老に限らず、小魚や虫等自由である。後半身部２に左右内方へ窪んだ枢結用凹部31を設け、前半身部１に左右内方へ突出する枢結用凸部32を設けるも良い。また、釣糸連結部21は、後端面に凹設した孔部に限らず、突片形状部位に形成した孔部等自由である。釣針６は、釣糸連結部21に、直接的に固着する場合に限らず、鎖状連結部材やリング部材を介して揺動自在に取着するも良い。また、釣針６の形状は傘型に限らず、Ｊ字型、二又や三又の碇型、等自由である。釣糸連結部21及び釣針６は、後半身部２のみに設けるのが望ましいが、前半身部１のみに設ける、或いは、前・後半身部１，２の両方に設けるも良い。また、糸通し部11は、前後方向に貫通（開口）するリング形状に限らず、左右方向に貫通するリング形状とするも良い。
なお、本発明は、疑似餌（が表現する生物）から見た向きで、方向を説明している。従って、使用状態の向きを限定するものでは無い（使用状態の向きは自由である）。
【００２９】
また、釣糸連結部21は、釣糸８が挿通して連繋される左右方向の貫孔を有している。釣糸８と釣糸連結部21の連繋は、上記貫孔と釣糸８の間に、釣糸留め金具等の連繋部材を介在させるも良い。或いは、釣糸８を釣糸連結部21の貫孔に挿通して折り返すことで行っても良い。
【００３０】
また、錘連結部17は、左右方向の貫通孔を有し、糸等を介して錘が連結される。特に、海老に似せる場合は、錘連結部17を前半身部１に設けることで、生きた海老に近い動きを実現（模倣）できる。なお、錘連結部17を後半身部２に設けるも良い。
【００３１】
以上のように、本発明の疑似餌は、前半身部１と、後半身部２とを、左右水平状軸心Ｌ３廻りに上下揺動可能に枢結し、釣糸連結部21を上記後半身部２に設け、かつ、該釣糸連結部21に連繋された釣糸８が挿通される糸通し部11を上記前半身部１に設けたので、水中で生きているように動作し、イカやタイ等の釣りの獲物の興味（捕食本能）を刺激して、食付きを向上できる。釣糸８のテンションを変化させる（シャクル）だけで、容易に生きているように動作させることができ、従来よりも一層優れた釣果を得ることができる。
【００３２】
また、上記前半身部１と上記後半身部２が相互に上下揺動する揺動可能角度θを、１０度以上６０度以下に設定したので、イカやタイ等の釣りの獲物が興味を示し、食付き（かかり）が良くなる。また、水中での動作が自然で、釣りの獲物が警戒せず、食付き（かかり）が良くなる。
【００３３】
また、上記前半身部１と上記後半身部２とを枢結する枢結部３において、前半身部１と上記後半身部２とが相互に左右ふらつき自在に連結しているので、本物に近い３次元的な動作を容易に再現できる。本物の生物のような微小な動きを実現できる。釣りの獲物が狙う被捕食生物（エサ）であると、（釣りの獲物に）錯覚させることができる。
【符号の説明】
【００３４】
１  前半身部
２  後半身部
３  枢結部
８  釣糸
11  糸通し部
21  釣糸連結部
Ｌ３  左右水平状軸心
θ  揺動可能角度
【図１】
2020018202.tif 000003
【図２】
2020018202.tif 000004
【図３】
2020018202.tif 000005
【図４】
2020018202.tif 000006
【図５】
2020018202.tif 000007
【図６】
2020018202.tif 000008